【手続補正書】
【提出日】平成28年5月23日(2016.5.23)
【手続補正１】
【補正対象書類名】特許請求の範囲
【補正対象項目名】全文
【補正方法】変更
【補正の内容】
【特許請求の範囲】
【請求項１】
負荷に対して電力を供給する燃料電池を備える電源システムにおける前記燃料電池の電圧制御方法であって、
前記負荷からの要求電力が予め定めた基準値以下となる低負荷状態のときに、前記燃料電池と前記負荷との電気的な接続を遮断すると共に、前記燃料電池の開回路電圧を予め定めた目標電圧にするために要する酸素を前記燃料電池に供給するために予め設定した条件にて、前記燃料電池に酸素を供給し、
前記予め設定した条件にて前記燃料電池に酸素を供給した後に、前記燃料電池の開回路電圧を検出すると共に、検出した開回路電圧と前記目標電圧とを比較し、
前記検出した開回路電圧が前記目標電圧に比べて第１の値以上高い第１電圧状態に該当する場合には、前記燃料電池に供給する酸素量を減少させ、
前記検出した開回路電圧が前記目標電圧に比べて第２の値以上低い第２電圧状態に該当する場合には、前記燃料電池に供給する酸素量を増加させ、
前記第１電圧状態および前記第２電圧状態に該当しない電圧維持状態に該当する場合には、前記燃料電池に供給する酸素量を維持する
燃料電池の電圧制御方法。
【請求項２】
請求項１に記載の燃料電池の電圧制御方法であって、
前記低負荷状態の時に、前記負荷から速やかに負荷要求が示される可能性が高い第１の状態と、前記負荷から速やかに負荷要求が示される可能性が前記第１の状態に比べて低い第２の状態とのうちの、いずれかに該当するか否かを判断し、
前記第１の状態であると判断される場合には、前記目標電圧として、予め定めた第１の目標電圧を用い、
前記第２の状態であると判断される場合には、前記目標電圧として、前記第１の目標電圧よりも低い第２の目標電圧を用いる
燃料電池の電圧制御方法。
【請求項３】
請求項１に記載の燃料電池の電圧制御方法であって、
前記低負荷状態となり、前記目標電圧として第１の目標電圧を用いて、前記予め設定した条件にて前記燃料電池に酸素を供給した後に、予め設定した基準時間が経過した場合には、前記目標電圧を、前記第１の目標電圧から、前記第１の目標電圧よりも低い第２の目標電圧へと変更する
燃料電池の電圧制御方法。
【請求項４】
請求項１に記載の燃料電池の電圧制御方法であって、
前記低負荷状態となり、前記予め設定した条件にて前記燃料電池に酸素を供給した後に、前記燃料電池の開回路電圧が、前記目標電圧として設定した第１の目標電圧に対して、予め設定した許容値以上に低下した場合には、
前記目標電圧を、前記第１の目標電圧から、前記第１の目標電圧よりも低い第２の目標電圧へと変更する
燃料電池の電圧制御方法。
【請求項５】
請求項２から４のうちのいずれか１項に記載の燃料電池の電圧制御方法であって、
前記燃料電池の開回路電圧の目標値を前記第１の目標電圧から前記第２の目標電圧に変更するときに、前記燃料電池の開回路電圧を前記第２の目標電圧にするために要する酸素を前記燃料電池に供給するために予め設定した条件にて、前記燃料電池に酸素を供給するのに先立って、前記燃料電池に対する酸素の供給を一時的に停止する
燃料電池の電圧制御方法。
【請求項６】
負荷に対して電力を供給する燃料電池を備える電源システムにおける前記燃料電池の電圧制御方法であって、
前記負荷からの要求電力が予め定めた基準値以下となる低負荷状態のときに、前記燃料電池の電圧を予め定めた目標電圧にするために要する酸素を前記燃料電池に供給するために予め設定した条件にて、前記燃料電池に酸素を供給し、
前記予め設定した条件にて前記燃料電池に酸素を供給した後に、前記燃料電池の電圧を検出すると共に、検出した電圧と前記目標電圧とを比較し、
前記検出した電圧が前記目標電圧に比べて第１の値以上高い第１電圧状態に該当する場合には、前記目標電圧を出力電圧として前記燃料電池の発電を行なわせ、
前記検出した電圧が前記目標電圧に比べて第２の値以上低い第２電圧状態に該当する場合には、前記燃料電池と前記負荷との電気的な接続を遮断した状態で、前記燃料電池に供給する酸素量を増加させ、
前記第１電圧状態および前記第２電圧状態に該当しない電圧維持状態に該当する場合には、前記燃料電池に供給する酸素量を維持する
燃料電池の電圧制御方法。
【請求項７】
負荷に対して電力を供給する燃料電池を備える電源システムであって、
前記燃料電池のカソードに酸素を供給する酸素供給部と、
前記酸素供給部が前記カソードに供給する酸素量を調節する酸素量調節部と、
前記負荷からの要求電力が、予め設定した基準値以下となる低負荷状態の時に、前記燃料電池と前記負荷との電気的な接続を遮断する負荷遮断部と、
前記燃料電池の開回路電圧を検出する電圧センサと、
を備え、
前記酸素量調節部は、
前記低負荷状態の時に、前記燃料電池の開回路電圧を予め設定した目標電圧にするために要する酸素を前記燃料電池に供給するために予め設定した条件にて、前記酸素供給部を駆動し、
前記酸素供給部を駆動した後に、前記電圧センサが検出した前記開回路電圧と前記目標電圧とを比較して、前記開回路電圧が前記目標電圧に比べて第１の値以上高い第１電圧状態に該当する場合には、前記燃料電池に供給する酸素量が減少するように前記酸素供給部を駆動し、前記開回路電圧が前記目標電圧に比べて第２の値以上低い第２電圧状態に該当する場合には、前記燃料電池に供給する酸素量が増加するように前記酸素供給部を駆動する
電源システム。
【請求項８】
請求項７に記載の電源システムであって、
前記酸素供給部は、
前記カソードに接続する流路である酸素供給路と、
前記酸素供給路に対して酸素を導入する酸素導入部と、
前記酸素供給路から分岐する流路であって、前記酸素導入部から供給される酸素を、前記カソードを経由することなく導くバイパス流路と、
前記酸素供給路から前記バイパス流路が分岐する位置に設けられる弁であって、開弁状態によって、前記酸素供給路と前記バイパス流路とに分配される酸素の分配割合を変更可能な分流弁と、
前記酸素供給路に設けられ、前記カソードに供給される酸素量を変更可能な流量調整弁と、
を備え、
前記酸素量調節部は、前記酸素導入部が導入する酸素量、前記分流弁の開弁状態、および、前記流量調整弁の開度、から選択される少なくとも一つを変更することにより、前記カソードに供給する酸素量を調節する
電源システム。
【請求項９】
請求項８に記載の電源システムであって、
前記酸素量調節部は、前記酸素導入部が導入する酸素量、および、前記分流弁の開弁状態を固定した状態で、前記流量調整弁の開度を変更することにより、前記カソードに供給する酸素量を調節する
電源システム。
【請求項１０】
負荷に対して電力を供給する燃料電池を備える電源システムであって、
前記燃料電池のカソードに酸素を供給する酸素供給部と、
前記酸素供給部が前記カソードに供給する酸素量を調節する酸素量調節部と、
前記燃料電池と前記負荷との電気的な接続を遮断する負荷遮断部と、
前記燃料電池の電圧を検出する電圧センサと、
前記燃料電池の出力状態を制御する出力制御部と、
を備え、
前記酸素量調節部は、
前記負荷からの要求電力が予め定めた基準値以下となる低負荷状態の時に、前記燃料電池の電圧を予め設定した目標電圧にするために要する酸素を前記燃料電池に供給するために予め設定した条件にて、前記酸素供給部を駆動し、
前記予め設定した条件にて前記酸素供給部を駆動した後に、前記電圧センサが検出した前記電圧と前記目標電圧とを比較して、前記電圧が前記目標電圧に比べて第２の値以上低い第２電圧状態に該当する場合には、前記負荷遮断部が前記燃料電池と前記負荷との電気的な接続を遮断する状態で、前記燃料電池に供給する酸素量が増加するように前記酸素供給部を駆動し、
前記出力制御部は、前記酸素量調節部が前記予め設定した条件にて前記酸素供給部を駆動した後に、前記電圧センサが検出した前記電圧と前記目標電圧とを比較して、前記電圧が前記目標電圧に比べて第１の値以上高い第１電圧状態に該当する場合には、前記燃料電池の出力電圧が前記目標電圧になるように前記燃料電池の出力状態を制御する
電源システム。